(57)【要約】【課題】表示体を抜け難く、そしてしっかり支持でき、低廉なコストで出来る苗育成用容器を提供すること。【解決手段】苗育成用容器であって、容器本体部と、前記容器本体部の周壁に形成された孔とを具備する。【選択図】　図１
2004016009.tif 000002
【特許請求の範囲】
【請求項１】
苗育成用容器であって、
容器本体部と、
前記容器本体部の周壁に形成された孔
とを具備することを特徴とする苗育成用容器。
【請求項２】
容器本体部には上下方向および周方向に沿ってリブが形成されてなり、
孔は前記周方向に沿ったリブに沿って形成されてなる
ことを特徴とする請求項１記載の苗育成用容器。
【請求項３】
孔は非直線形状に形成されてなる
ことを特徴とする請求項１又は請求項２に記載の苗育成用容器。
【請求項４】
苗に関する情報が表示された表示板を更に具備してなり、
前記表示板が孔に挿入掛止されてなる
ことを特徴とする請求項１〜請求項３のいずれかに記載の苗育成用容器。
【請求項５】
容器本体部内には土壌が充填されてなり、
孔に挿し込まれた表示板の一部が前記土壌によって押圧されてなる
ことを特徴とする請求項１〜請求項４のいずれかに記載の苗育成用容器。
【発明の詳細な説明】
【０００１】
【発明が属する技術分野】
本発明は、例えば野菜や花等の植物の苗育成用容器に関する。
【０００２】
【発明が解決しようとする課題】
従来、育苗用の容器として、ポリエチレン等から量産される薄い柔軟性のあるコップ形状のものが普及している。苗の育成や出荷の際には、この容器に植物の種もしくは苗を土壌と共に収容し、植物の名前や写真等を明示した表示体を容器内の土壌に挿し込んでいた。しかし、苗の育成に極めて重要である表示体を土壌に挿し込むことで設置しているため、表示体は抜け取れやすく、紛失することが多かった。
【０００３】
そこで、実公平７−３３６４０号公報に開示されている通り、苗育成用容器の上端縁に鍔部を形成し、この鍔部に−形状の孔（スリット）を設け、このスリットに植物の名前や写真等を明示した表示体を挿し込むようにしたものが提案された。
【０００４】
ところで、コスト面や取扱性の面から、容器は柔らかな材料で構成されることが多い。このような柔らかな材料で容器が構成されていると言うことは、容器の機械的強度が十分で無いと言うことである。このことは、取りも直さず、鍔の部分の機械的強度が弱いことを示している。しかるに、鍔は、表示体を支持するものであるから、機械的強度が弱いと、表示体を十分には支持できない。例えば、表示体を鍔のスリットに挿し込むことで支持させた場合のみでは、風などが弱い日には表示体が起立状態で保持されていても、風の強い日には吹き飛ばされたり、倒れてしまったりする。特に、表示体が倒れたりすると、苗が傷つく。更に、スリットに挿し込まれた表示体の姿勢はほぼ一つの方向に決まってしまう。このことは、表示体を見る姿勢に制約が掛かり、場合によっては見にくい場合がある。
【０００５】
このように、鍔の部分で表示体を支持する方式は決して満足できるものでは無い。
【０００６】
又、上記提案のものでは、鍔が無いタイプのものには適用できない。
【０００７】
更に、鍔を形成しなければならないと言うことは、容器の形状もそれだけ複雑になり、又、材料もそれだけ多く要り、コストが高く付く。
【０００８】
従って、本発明が解決しようとする第１の課題は、表示体を抜け難く、そしてしっかり支持できる苗育成用容器を提供することである。
【０００９】
本発明が解決しようとする第２の課題は、低廉なコストで出来る苗育成用容器を提供することである。
【００１０】
本発明が解決しようとする第３の課題は、表示体を支持する姿勢を調節できる苗育成用容器を提供することである。
【００１１】
本発明が解決しようとする第４の課題は、鍔が無いタイプの容器にも適用できる苗育成用容器を提供することである。
【００１２】
【課題を解決するための手段】
前記の課題は、苗育成用容器であって、
容器本体部と、
前記容器本体部の周壁に形成された孔
とを具備することを特徴とする苗育成用容器によって解決される。
【００１３】
すなわち、容器本体部の周壁に孔を形成していると、孔に挿し込まれた表示体は、容器本体部内に充填された土壌によって圧力を受け、この圧力によって抜け難くなる。かつ、表示体をしっかりと支持する。すなわち、孔と表示体との掛止力のみで表示体を支持する場合に比べて、土壌の圧力による支持が更に加わるから、抜け難く、かつ、強固に支持される。
【００１４】
更に、土壌への挿込方向を少し変えれば、表示体の起立角度を調節できる。場合によっては、ほぼ水平方向に表示体を支持することも出来る。例えば、水平方向に表示体を支持させた場合には、垂直方向に支持させた場合よりも、地面上に置かれた容器を真上の立った状態で見ようとした場合、表示体の文言を見やすい。
【００１５】
又、容器本体の形状は複雑でないから、コストも低廉である。
【００１６】
本発明において、機械的強度向上の面から、容器本体部には上下方向および周方向に沿ってリブが形成されているのが好ましい。特に、容器本体部の周壁には、その上方部から下方部にかけて上下方向にリブが形成され、そして上方部には周方向に沿ってリブが形成されているのが好ましい。この周方向のリブに沿って上方部に孔（スリット）が形成されていることが好ましい。このように構成させていると、機械的強度に特に優れたものになる。又、表示体を孔（スリット）に挿込み易い。又、表示体の支持がより一層強固なものになる。
【００１７】
本発明において、孔（スリット）は、例えば半楕円形状などの非直線形状に形成されていることが好ましい。このようにすることによって、表示体を孔（スリット）に挿込み易い。又、表示体の掛止をより確実なものに出来る。
【００１８】
又、前記の課題は、苗に関する情報が表示された表示板を更に具備してなり、
前記表示板が孔に挿入掛止されてなる
ことを特徴とする上記の苗育成用容器によって解決される。
【００１９】
又、前記の課題は、容器本体部内には土壌が充填されてなり、
孔に挿し込まれた表示板の一部が前記土壌によって押圧されてなる
ことを特徴とする上記の苗育成用容器によって解決される。
【００２０】
【発明の実施の形態】
図１は本発明に係る苗育成用容器の斜視図、図２は表示体の正面図、図３は苗育成用容器に土壌が充填されると共に表示体が支持されている状態での斜視図である。
【００２１】
１は、ポリエチレン等の薄い柔軟性のある樹脂材料で、例えば円筒状に成型された苗育成用の容器本体である。そして、容器本体１は、図に示された通り、周壁１１と、周壁１１の下端部に設けられた底壁１２とからなる。
【００２２】
容器本体１の周壁１１には、機械的強度を補強する為に、上方部（例えば、上端縁から周壁１１の高さの１０％〜３０％程度の範囲）から下方部にかけては上下方向にリブ１３が形成され、かつ、前記上方部には周方向に沿ってリブ１４が形成されている。尚、容器本体１の形状は図に示すような形状に限定されることは無く、如何なる形状であっても良い。
【００２３】
２は、容器本体１の周壁１１に形成されたスリットであり、植物の名前や写真等を明示した表示体を挿し込むためのものである。このスリット２は、上方部（例えば、上端縁から周壁１１の高さの１０％〜３０％程度の範囲）において、リブ１４に沿って設けられている。このスリット２の形状は、如何なる形状であっても良い。例えば、波形状とか半楕円形状などの非直線形状に形成されている。本実施の形態では、略凹形状（半楕円形状）としている。又、スリット２は前後左右の計４個設けられているが、その数は幾つ有っても良い。
【００２４】
３は植物の名前や写真等を明示した表示体であり、例えば薄いプラスチックシート等から構成されている。表示体３には、図２に示した通り、上方に開口する切込み部４ａ，４ｂが下方部に設けられており、この切込み部４ａ，４ｂによって挿込用の舌片部５が形成される。尚、舌片部５の形状は、例えば逆台形状である。尚、舌片部５の形状は図に示すような形状に限定されることは無く、如何なる形状であっても良い。そして、表示体３の先端（下端）が周壁１１の外側から内側に向けてスリット２に挿し込まれる。尚、この時、表示体３に表示されている各種情報が内側になるように挿し込まれる。
【００２５】
６は容器本体１内に充填された土壌である。
【００２６】
上記のように構成していると、スリット２から内側に挿し込まれた表示体３は、容器本体内に充填された土壌６によって圧力を受け、この圧力により周壁１１内面に押し付けられて抜け難くなる。すなわち、スリット２と表示体３の切込み部４ａ，４ｂとの掛止力のみで表示体３を支持する場合に比べて、土壌の圧力による支持が更に加わるから、抜け難く、かつ、強固に支持される。更には、表示体３は周壁１１内面に押し付けられているから、その姿勢は周壁１１によって規制を受け、フラフラし難く、表示体３が苗側に倒れ、苗を傷つけることも無い。又、表示体３をスリット２に挿込み易い。
【００２７】
尚、スリット２への挿込方向を少し変えれば、表示体３の起立角度を調節できる。場合によっては、ほぼ水平方向に表示体３を支持することも出来る。例えば、水平方向に表示体を支持させた場合には、周壁１１の上下方向に支持させた場合よりも、地面上に置かれた容器を真上の立った状態で見ようとした場合、表示体３の情報を見やすい。
【００２８】
又、上記実施の形態では、容器本体１の外側から内側に表示体３を挿し込んでいるが、例えば表示体３が容器本体１内の苗の前に有るように、容器本体１の内側から外側に向けて表示体３をスリット２に挿し込んでも良い。但し、この場合、前記実施の形態の場合よりも、高い位置まで土壌を充填することが要請される。
【００２９】
又、容器本体１は、鍔が無くても済み、その形状が複雑でないから、コストも低廉である。
【００３０】
図４は、本発明に係る苗育成用容器の他の実施形態の斜視図である。
【００３１】
本実施形態にあっては、スリット２の形状が直線状（−）になっているに過ぎず、その他の構成は前記実施形態のものと基本的に同一なので、同一部分には同一符号を付し、詳細な説明は省略する。尚、スリット２の形状はこれ以外のものであっても良い。
【００３２】
図５は、本発明に係る表示体の他の実施形態の正面図である。
【００３３】
本実施形態にあっては、舌片部５の形状が三角形状になっているに過ぎず、その他の構成は前記実施形態のものと基本的に同一なので、同一部分には同一符号を付し、詳細な説明は省略する。
【発明の効果】
本発明にあっては、容器本体部内に充填された土壌によって圧力を受け、この圧力によって抜け難くなる。かつ、表示体をしっかりと支持する。すなわち、孔と表示体との掛止力のみで表示体を支持する場合に比べて、土壌の圧力による支持が更に加わるから、抜け難く、かつ、強固に支持される。
【００３４】
更に、土壌への挿込方向を少し変えれば、表示体の起立角度を調節できる。場合によっては、ほぼ水平方向に表示体を支持することも出来る。例えば、水平方向に表示体を支持させた場合には、垂直方向に支持させた場合よりも、地面上に置かれた容器を真上の立った状態で見ようとした場合、表示体の文言を見やすい。
【００３５】
又、容器本体の形状は複雑でないから、コストも低廉である。
【００３６】
又、周方向のリブに沿って表示体挿込用の孔が形成されていると、機械的強度に優れ、かつ、挿込み易く、しかも表示体の支持がより一層強固である。
【図面の簡単な説明】
【図１】本発明にかかる苗育成用容器の斜視図
【図２】本発明にかかる表示体の正面図
【図３】本発明にかかる苗育成用容器に土壌が充填されると共に表示体が支持されている状態での斜視図
【図４】本発明にかかる他の実施形態の苗育成用容器の斜視図
【図５】本発明にかかる表示体の正面図
【符号の説明】
１　　　　　容器本体
１１　　　　周壁
１３　　　　上下方向のリブ
１４　　　　周方向のリブ
２　　　　　スリット
３　　　　　表示体
４ａ，４ｂ　切込み部
５　　　　　舌片部
６　　　　　土壌
【図１】
2004016009.tif 000003
【図２】
2004016009.tif 000004
【図３】
2004016009.tif 000005
【図４】
2004016009.tif 000006
【図５】
2004016009.tif 000007